(57)【要約】  本発明による回転式ノブを備えた小型消火器は、火災時に噴射される強化液が保存されるボトル状のボディ部と、ボディ部の上部に締結され、中央の内部にバルブが構成されていて、ボタン部を押す時に開放されて圧縮された強化液が一側の開放部へ噴出されることができ、ラウンド形状の板回転ノブが一側で締結され、他側にはロックキーの「└」型のキーが挿入または除去されることができるキー挿入部が構成されたノズル部と、前記ノズル部の上部に挿入締結され、板回転ノブの回転によりボタンが上下にノズル部の内部へ進出入してバルブを開閉するボタン部と、前記ノズル部の一側で固定ピンによって締結され、ノズル部の一側端を一定の距離で覆いながらボタン部の上部に接し、他側には板回転ノブの回転を調節するロックキーが締結されるラウンドカバー形状の板回転ノブと、板回転ノブに締結され、キーハンドルを時計回りに回したり反時計回りに回すと、キーが回転しながらノズル部のキー挿入部に挿入されたり、またはキー挿入部から除去されて、板回転ノブの回転を拘束または許容することができるように作用するロックキーとで構成されたことを特徴とする。【選択図】図４
2019536528.tif 000002
【特許請求の範囲】
【請求項１】
車両や住宅、オフィスの内部に設置されることができる回転式ノブを備えた小型消火器において、
前記回転式ノブを備えた小型消火器は、
火災時に噴射される強化液が保存されるボディ部（１０）と、
ボディ部の上部に締結され、中央の内部にバルブが構成されていて、ボタン部を押す時に開放されて圧縮された強化液が一側の開放部へ噴出されることができ、板回転ノブが一側で締結され、他側にはロックキーの「└」形のキーが挿入されたり除去されることができるキー挿入部（２２）が構成されたノズル部（２０）と、
前記ノズル部の上部に挿入締結され、板回転ノブの回転によりボタン（５２）が上下にノズル部の内部へ進出入してバルブを開閉するボタン部（５０）と、
前記ノズル部の一側で固定ピン（３２）によって締結され、ボタン部を操作することができ、ロックキー（４０）が締結される板回転ノブ（３０）と、
板回転ノブに締結され、時計回りまたは反時計回りに回転させることで板回転ノブの回転を拘束または許容するように作用するロックキー（４０）と、
で構成されたことを特徴とする、回転式ノブを備えた小型消火器。
【請求項２】
前記回転式ノブを備えた小型消火器は、
ボディ部内部の強化液の現在の圧力を示す圧力計をさらに含んでなることを特徴とする、請求項１に記載の回転式ノブを備えた小型消火器。
【請求項３】
前記板回転ノブ（３０）は、
ノズル部の一側端を一定の距離で覆いながらボタン部の上部に接する、ラウンド形状の板形状であることを特徴とする、請求項１に記載の回転式ノブを備えた小型消火器。
【請求項４】
前記ロックキー（４０）は、
ロックキーを回転させるためのキーハンドル（４２）と、キーハンドルに締結される「└」型のキー（４４）とで構成されたことを特徴とする、請求項１に記載の回転式ノブを備えた小型消火器。
【請求項５】
車両や住宅、オフィスの内部に設置されることができる、上部に回転式ノブを備えた小型消火器において、
前記上部に回転式ノブを備えた小型消火器は、
消火液剤が高圧で充填されるボディ部（１００）と、
前記ボディ部の上部に締結され、バルブが開閉されて消火液剤が噴出されるようにするノズル部（２００）と、
ノズル部（２００）に締結され、ボタン部（５００）を作動させてノズル部の内部のバルブを開閉する「┐」型のラウンド形状の板回転ノブ（３００）、及び
「┐」型のラウンド形状の板回転ノブの一側の上部に締結され、回転ノブ（４２０）を時計回りまたは反時計回りに回転させると、ロックキーがノズル部のキー挿入部から離脱されて一側へ外れるロック部（４００）と、
で構成されたことを特徴とする、上部に回転式ノブを備えた小型消火器。
【請求項６】
前記上部に回転式ノブを備えた小型消火器は、
ボディ部内部の消火液剤の現在の圧力を示す圧力計（７００）をさらに含んでなることを特徴とする、請求項５に記載の上部に回転式ノブを備えた小型消火器。
【請求項７】
前記「┐」型のラウンド形状の板回転ノブ（３００）は、
ノズル部に設置される固定ピン（３２０）を軸にして回転し、ノズル部の一側端を覆いながらボタン部の上部に接する、ラウンド形状の板形状であることを特徴とする、請求項５に記載の上部に回転式ノブを備えた小型消火器。
【請求項８】
前記ロック部（４００）は、
ロックキーを回転させるためのキーハンドル（４２０）と、キーハンドルに締結される「└」型のキー（４４０）とで構成されたことを特徴とする、請求項５に記載の上部に回転式ノブを備えた小型消火器。
【発明の詳細な説明】
【技術分野】
【０００１】
本発明は車両や個人住宅に設置され、手軽に使用できるようにするための小型消火器に関するもので、現在の消火器は大きく重いので廊下または隅ように目立たないところに設けられるため、実際の火災時に使用しようとすると消火器を捜す時間が多くかかり、消火が遅れてしまう。したがって、本発明は、小型消火器で製作されてリビングやキッチンの流し台の横に保管して、火災発生時にすぐに使用できるようにするためである。
【背景技術】
【０００２】
本発明に関連する従来の技術は、大韓民国登録特許第１０−１０２３５１３号（２０１１．３．２１．公告）に開示されている。図１は、従来のガス消火栓の手動動作用スイッチの構成図である。
【０００３】
前記図１に、従来のガス消火栓の手動動作用スイッチはケーシング（１００）に回転ノブ（２００）と動作ノブ（３００）が順次に装着される構成からなる。前記ケーシング（１００）は、回転ノブ（２００）が装着されて回転するように内側へ陥没される装着溝（１５０）が備えられ、前記回転ノブ（２００）の内側面の縁に弾性密着するように位置決定ユニット（１１０）が備えられる。
【０００４】
そして、前記位置決定ユニット（１１０）は、ケーシング（１００）の内側から上部に向かって突出される弾性支持片からなる。加えて、前記ケーシング（１００）は、前記ノブ装着穴（１５０）の中央に後記の作動バー（３３０）が挿入されるスライド溝（１２０）が形成され、前記スライド溝（１２０）の一側にスロット（１３０）が備えられる。
【０００５】
前記ケーシングに装着される回転ノブ（２００）は、前記ケーシングの内側に支持されるとき、位置決定ユニット（１１０）によって位置決定されるように一つ以上の位置決定溝（２０５）が内側面の縁に備えられる。そして、前記回転ノブ（２００）の上部面に後記の動作ノブ（３００）が装着するようにスイッチ装着穴（２３０）が陥没形成される。
【０００６】
加えて、前記回転ノブ（２００）の底面に、前記スロット（１３０）を通過する位置感知バー（２５０）が突出される。また、前記スイッチ装着穴（２３０）には、前記動作ノブ（３００）の縁に一つ以上形成されるガイド溝（３０１）に対応するようにガイド顎（２０１）が形成され、内側面の中央部に作動バー（３３０）が貫通される貫通溝（図示せず）が形成される。
【０００７】
前記回転ノブ（２００）に装着される動作ノブ（３００）は、前記スイッチ装着穴（２３０）にスプリング（３１０）を介してケーシング（１００）に支持される固定片（図示せず）により弾性支持され、前記ケーシング（１００）の下側へ露出される多角形からなる作動バー（３３０）が備えられる。
【０００８】
そして、前記動作ノブ（３００）は、その縁には前記ガイド顎（２０１）に対応されるガイド溝（３０１）が一体に形成される。前記オン/オフスイッチ（３６０）は、前記動作ノブ（３００）の作動バー（３３０）に対応するように基板（３１０）に装着される。
【０００９】
前記基板（３１０）は、前記位置感知バー（２５０）に対応するように状態感知スイッチ（３５０）がさらに備えられ、一側に状態感知スイッチによって動作する複数のランプ（３７０）がさらに備えられる。そして、前記状態感知スイッチ（３５０）は、回転ノブの底面に突出される位置感知バー（２５０）がケーシングに形成されるスロット（１３０）を通って、露出されて回転されるときに接触するように基板（３１０）に装着される。
【００１０】
一方、前記オン/オフスイッチ（３６０）の一側には、オン/オフスイッチの解除のための解除スイッチ（３８０）がさらに備えられ、前記解除スイッチは、その上部の操作ノブ（３４０）に接触される構成からなる。
【先行技術文献】
【特許文献】
【００１１】
【特許文献１】大韓民国登録特許第１０−１０２３５１３号
【発明の概要】
【発明が解決しようとする課題】
【００１２】
前記のような従来のガス消火栓の手動動作用スイッチは、構成が複雑なので製造コストが高く、構成箇所が多いために故障が頻繁に発生する問題点がある。また、前記のような従来技術は、強化液が注入される小型消火器に適用し難い問題点がある。したがって、本発明の目的は、小型消火器に適用するために、構成が簡単で、火災時に迅速に使用することができる消火器を提供するためである。また、本発明の他の目的は、製造コストが安価な消火器を提供することである。
【課題を解決するための手段】
【００１３】
前記のような目的を持つ本発明による回転式ノブを備えた小型消火器は、火災時に噴射される強化液が保存されるボトル状のボディ部と、ボディ部の上部に締結され、中央の内部にバルブが構成されていて、ボタン部を押すときに開放されて圧縮された強化液が一側の開放部へ噴出されることができ、ラウンド形状の板回転ノブが一側で締結され、他側にはロックキーの「└」型のキーが挿入または除去されることができるキー挿入部が構成されたノズル部と、前記ノズル部の上部に挿入締結され、板回転ノブの回転によりボタンが上下にノズル部の内部へ進出入してバルブを開閉するボタン部と、前記ノズル部の一側で固定ピンによって締結され、ノズル部の一側端を一定の距離で覆いながらボタン部の上部に接し、他側には板回転ノブの回転を調節するロックキーが締結されるラウンドカバー形状の板回転ノブと、板回転ノブに締結され、キーハンドルを時計回りまたは反時計回りに回すと、キーが回転しながらノズル部のキー挿入部に挿入されたり、またはキー挿入部から除去されて板回転ノブの回転を拘束または許容できるように作用するロックキーとで構成されたことを特徴とする。
【発明の効果】
【００１４】
前記のように構成された本発明による回転式ノブを備えた小型消火器は、ロックキーが回転ノブに一体に締結されてロックキーの紛失の恐れがない効果がある。また、本発明の他の効果は、消火器が小型なので、車両や家庭の室内に設けやすい良い効果がある。また、本発明の他の効果として、火災時にホースを使わず、ボディ部と回転ノブを用いて使用することができる効果があり、構成が簡単なので製造コストが安価な効果がある。
【図面の簡単な説明】
【００１５】
【図１】従来のガス消火栓の手動動作用スイッチの構成図。
【図２】本発明による回転式ノブを備えた小型消火器の斜視構成図。
【図３】本発明による回転式ノブを備えた小型消火器を別の角度から見た斜視構成図。
【図４】本発明による回転式ノブを備えた小型消火器の分解構成図。
【図５】本発明に適用されるロックキーがキー挿入部に挿入された状態図。
【図６】本発明に適用されるロックキーがキー挿入部から離脱された状態図。
【図７】本発明による上部に回転式ノブを備えた小型消火器の第２実施例であって、ロック状態を示した構成図。
【図８】本発明による上部に回転式ノブを備えた小型消火器の第２実施例であって、アンロック状態を示した構成図。
【図９】本発明による上部に回転式ノブを備えた小型消火器の第２実施例であって、ノズル部の開放状態を示した構成図。
【図１０】本発明による上部に回転式ノブを備えた小型消火器の第２実施例であって、分解斜視図である。
【発明を実施するための形態】
【００１６】
前記のような目的を持つ本発明による回転式ノブを備えた小型消火器を図２乃至図１０に基づいて説明すると、次の通りである。
【００１７】
図２は、本発明による回転式ノブを備えた小型消火器の斜視構成図である。前記図２で、本発明による回転式ノブを備えた小型消火器は、強化液が高圧で充填されるボディ部（１０）と、前記ボディ部の上部に締結されるノズル部（２０）と、ノズル部に締結される板回転ノブ（３０）と、ノズル部に締結され、ボディ部の内部に充填される強化液の現在の圧力を表示する圧力計（７０）の構成を示している。
【００１８】
図３は、本発明による回転式ノブを備えた小型消火器を別の角度から見た斜視構成図である。前記図３で、本発明による回転式ノブを備えた小型消火器は、強化液が高圧で充填されるボディ部（１０）と、前記ボディ部の上部に締結され、バルブが開閉されて強化液が噴出されるようにするノズル部（２０）と、ノズル部に締結され、ボタン部を作動させてノズル部の内部のバルブを開閉する板回転ノブ（３０）と、板回転ノブに締結されるロックキー（４０）の構成を示している。
【００１９】
図４は、本発明による回転式ノブを備えた小型消火器の分解構成図である。前記図４で、本発明による回転式ノブを備えた小型消火器は、火災時に噴射される強化液が保存されるボディ部（１０）と、ボディ部の上部に締結され、中央の内部にバルブが構成されていて、ボタン部を押すときに開放されて圧縮された強化液が一側の開放部へ噴出でき、ラウンド形状の板回転ノブが一側で締結され、他側にはロックキーの「└」型のキーが挿入または除去されることができるキー挿入部（２２）が構成されたノズル部（２０）と、前記ノズル部の上部に挿入締結され、板回転ノブの回転によりボタン（５２）が上下にノズル部の内部へ進出入してバルブを開閉するボタン部（５０）と、前記ノズル部の一側で固定ピン（３２）によって締結され、ノズル部の一側端を一定の距離で覆いながらボタン部の上部に接して、他側には板回転ノブの回転を調節するロックキー（４０）が締結されるラウンド形状の板回転ノブ（３０）と、板回転ノブに締結され、キーハンドル（４２）を時計回りに回したり、反時計回りに回すと、キー（４４）が回転してノズル部のキー挿入部（２２）に挿入されたりキー挿入部（２２）から除去されて板回転ノブの回転を拘束したり許容するように作用するロックキー（４０）とで構成されたことを特徴とする。
【００２０】
前記のように構成された本発明による回転式ノブを備えた小型消火器はロックキー（４０）を回転させてキー挿入部（２２）からキーを離脱させ、板回転ノブ（３０）を一側へ回転させると、板回転ノブ（３０）がボタン部（５０）のボタン（５２）を押すようになり、ボタンがノズル部（２０）へ挿入されると、ノズル部の内部のバルブが開放されてボディ部（１０）の強化液がノズルを通って噴出される。
【００２１】
図５は、本発明に適用される、ロックキーがキー挿入部に挿入された状態図である。前記図５で、ノズル部（２０）にはキー挿入部（２２）が構成され、平常時にはキー挿入部（２２）に板回転ノブ（３０）に設置されたロックキー（４０）のキー（４４）が挿入されて板回転ノブ（３０）が回転できないように固定され、火災時に消火器を使用しようとする場合は、ロックキー（４０）を一側へ回転させてキー（４４）がノズル部のキー挿入部（２２）から離脱されるようにして、板回転ノブ（３０）を回転させることができる。前記のように板回転ノブ（３０）を回転させると、板回転ノブ（３０）がノズル部上部のボタン部（５０）のボタンを押して強化液が噴出される。
【００２２】
図６は、本発明に適用される、ロックキーがキー挿入部から離脱された状態図である。前記図６で板回転ノブに設置されたロックキー（４０）のキーハンドル（４２）を一側へ回転させてノズル部（２０）に構成されたキー挿入部（２２）からロックキー（４０）のキー（４４）が離脱されたら、板回転ノブ（３０）が一側へ回転することができ、一側に板回転ノブ（３０）を回転させると、板回転ノブ（３０）の下部面がノズル部の上部に構成されたボタン部（５０）のボタン（５２）を押してボタンが下降し、ボタンが下降すると、ノズル部（２０）の内部のバルブが開放されてボディ部（１０）の内部の強化液が、開放されたバルブとノズル（２６）を通って外部へ噴射されながら排出される。また、前記で板回転ノブは強化プラスチック、アルミなどの多様な素材で製作されることができ、ボディ部のカラーも使用者の好みに応じて選択できるように、さまざまなカラーで構成されることができる。
【００２３】
図７は、本発明による上部に回転式ノブを備えた小型消火器の第２実施例であって、ロック状態を示した構成図である。前記図７で、本発明による上部に回転ノブを備えた小型消火器の第２実施例は、消火液剤が高圧で充填されるボディ部（１００）と、前記ボディ部の上部に締結されるノズル部（２００）と、ノズル部に締結される「┐」型のラウンド形状の板回転ノブ（３００）と、前記「┐」型のラウンド形状の板回転ノブの上部に構成され、ノズル部に構成されたロックキー挿入部に端の「└」型のキーが挿入されたり離脱されて板回転ノブの回転を調節するロック部（４００）、及びノズル部の一側に付着されてボディ部内部の消火液剤の圧力を示す圧力計（７００）の構成を示している。
【００２４】
図８は、本発明による上部に回転式ノブを備えた小型消火器の第２実施例であって、アンロック状態を示す構成図である。前記図８で、本発明による上部に回転式ノブを備えた小型消火器の第２実施例は、消火液剤が高圧で充填されるボディ部（１００）と、前記ボディ部の上部に締結され、バルブが開閉されて消火液剤が噴出されるようにするノズル部（２００）と、ノズル部（２００）に締結され、ボタン部（５００）を作動させてノズル部の内部のバルブを開閉する「┐」型のラウンド形状の板回転ノブ（３００）と、「┐」型のラウンド形状の板回転ノブの上部に締結され、回転ノブ（４２０）を時計回りまたは反時計回りに回転させると、ロックキーがノズル部のキー挿入部から離脱されて一側へ外れるロック部（４００）の構成を示している。
【００２５】
図９は、本発明による上部に回転ノブを備えた小型消火器の第２実施例であって、ノズル部が開放された状態を示した構成図である。
【００２６】
前記図９で、本発明による上部に回転式ノブを備えた小型消火器の第２実施例は、火災時に噴射される消火液剤が保存されるボディ部（１００）と、ボディ部の上部に締結され、中央の内部にバルブが構成されていて、ボタン部を押す時に開放されて圧縮された消火液剤が一側の開放部へ噴出されることができ、「┐」型のラウンド形状の板回転ノブが一側で固定ピン（３２０）によって締結され、他側にはロックキーの「└」型のキーが挿入されたり除去されることができるキー挿入部（２２０）が構成されたノズル部（２００）と、前記ノズル部（２００）の上部に挿入締結され、「┐」型のラウンド形状の板回転ノブの回転によりボタン（５２０）が上下にノズル部の内部へ進出入してノズル部の内部に装着されたバルブが消火液剤の進出入路を開閉するボタン部（５００）と、前記ノズル部（２００）の一側で固定ピン（３２０）によって締結され、ノズル部の一側端を覆いながらボタン部の上部に接して、他側の上部には「┐」型のラウンド形状の板回転ノブの回転を調節するロック部（４００）が締結される「┐」型のラウンド形状の板回転ノブ（３０）と、「┐」型のラウンド形状の板回転ノブの上部に締結され、キーハンドル（４２０）を時計回りに回したり反時計回りに回すと、キー（４４０）が回転してノズル部のキー挿入部（２２０）に挿入されたりキー挿入部（２２０）から除去されて「┐」型のラウンド形状の板回転ノブの回転を拘束したり許容するように作用するロック部（４００）とで構成されることを特徴とする。
【００２７】
前記のように構成された本発明による上部に回転式ノブを備えた小型消火器はロック部（４００）のロックキーを時計回りまたは反時計回りに回転させてキー挿入部（２２０）からキーを離脱させ、「┐」型のラウンド形状の板回転ノブ（３００）を固定ピン（３２０）を中心にして上部から下部へ回転させると、「┐」型のラウンド形状の板回転ノブ（３００）がボタン部（５００）のボタン（５２０）を押すようになり、ボタンがノズル部（２００）へ挿入されると、ノズル部（２００）の内部のバルブを開放してボディ部（１００）の消火液剤がノズルを通って噴出される。
【００２８】
図１０は、本発明による上部に回転式ノブを備えた小型消火器の第２実施例を示す分解斜視図である。前記図１０で、ノズル部（２００）にはキー挿入部（２２０）が構成され、平常時にはキー挿入部（２２０）に「┐」型のラウンド形状の板回転ノブ（３００）の上部に設置されたロック部（４００）のキー（４４０）が挿入されて、「┐」型のラウンド形状の板回転ノブ（３００）が回転することができないように固定され、火災時に消火器を使用しようとする場合は、ロック部（４００）の回転ノブ（４２０）を時計回りまたは反時計回りに回転させてキー（４４０）がノズル部（２００）のキー挿入部（２２０）から離脱されると、「┐」型のラウンド形状の板回転ノブ（３００）が固定ピン（３２０）を軸にして回転するようになる。
【００２９】
前記のように「┐」型のラウンド形状の板回転ノブ（３００）を固定ピン（３２０）を軸にして回転させると、「┐」型のラウンド形状の板回転ノブ（３００）がノズル部の上部のボタン部（５００）のボタンを押すことになり、上下へ移動するボタンがノズル部の内部のバルブを開放することになり、「┐」型のラウンド形状の板回転ノブ（３００）の一側が上方向へ持ち上げられて、消火液剤がノズルを通って前方へ噴出される。
【産業上の利用可能性】
【００３０】
前記のように構成された回転式ノブを備えた小型消火器は使用が便利で小型であるため、車両のような移動式場所での使用に適した特徴があり、オフィス、家庭のような空間においても、区画された空間ごとに設けて使用することができ、また子供やお年寄りなどの弱者も使いやすいので、実際の火災現場で効果的に使用することができる。
【図１】
2019536528.tif 000003
【図２】
2019536528.tif 000004
【図３】
2019536528.tif 000005
【図４】
2019536528.tif 000006
【図５】
2019536528.tif 000007
【図６】
2019536528.tif 000008
【図７】
2019536528.tif 000009
【図８】
2019536528.tif 000010
【図９】
2019536528.tif 000011
【図１０】
2019536528.tif 000012
【国際調査報告】
2019536528.tif 000013
2019536528.tif 000014
2019536528.tif 000015
2019536528.tif 000016